(57)【要約】【課題】外部に漏れた液体燃料の周囲への拡散を抑制し、且つ、作業員が漏れた液体燃料の有無を容易に確認することが可能な液体燃料供給装置を提供する。【解決手段】液体燃料を貯蔵する貯蔵タンクと、被液体供給体に液体燃料を供給するノズルと、一端が貯蔵タンクに接続され、他端がノズルに接続される液体燃料供給経路と、液体燃料供給経路に設けられ、貯蔵タンクから液体燃料をノズルに向けて圧送するポンプと、液体燃料供給経路に設けられ、ポンプにより貯蔵タンクからノズルに向けて圧送された液体燃料の供給量を測定する供給量測定手段と、を有する本体部と、内部に本体部が設置され、本体部から外部に漏れた液体燃料の周囲への拡散を防止する拡散防止部と、本体部が設置される設置面を含み、設置面が水平面に対して傾斜した設置部と、を備える。【選択図】図２
2019018897.tif 000002
【特許請求の範囲】
【請求項１】
所定の液体燃料を貯蔵する貯蔵タンクと、
被液体供給体に前記液体燃料を供給するノズルと、
一端が前記貯蔵タンクに接続され、他端が前記ノズルに接続される液体燃料供給経路と、前記液体燃料供給経路に設けられ、前記貯蔵タンクから前記液体燃料を前記ノズルに向けて圧送するポンプと、
前記液体燃料供給経路に設けられ、前記ポンプにより前記貯蔵タンクから前記ノズルに向けて圧送された前記液体燃料の供給量を測定する供給量測定手段と、
を有する本体部と、
内部に前記本体部が設置され、前記本体部から外部に漏れた前記液体燃料の周囲への拡散を防止する拡散防止部と、
前記本体部が設置される設置面を含み、前記設置面が水平面に対して傾斜した設置部と、を備える、
液体燃料供給装置。
【請求項２】
前記拡散防止部の内部に設けられ、前記本体部から外部に漏れた前記液体燃料が前記設置面の傾斜に沿って流入する溜り部を更に備える、
請求項１に記載の液体燃料供給装置。
【請求項３】
前記溜り部に設けられ、前記溜り部に溜まった前記液体燃料が所定量に達したか否かを検出する検出手段と、
前記検出手段により前記溜り部に溜まった前記液体燃料が前記所定量に達したと検出された場合、前記本体部の液体燃料供給機能を停止させる制御手段と、を更に備える、
請求項２に記載の液体燃料供給装置。
【発明の詳細な説明】
【技術分野】
【０００１】
本発明は、液体燃料供給装置に関する。
【背景技術】
【０００２】
液体が貯蔵される貯蔵タンクと、該液体を吐出させるノズルと、貯蔵タンクとノズルとの間の液体供給経路に設けられ、貯蔵タンクの液体をノズルに向けて供給するポンプを備える液体燃料供給装置が知られている（例えば、特許文献１参照）。
【先行技術文献】
【特許文献】
【０００３】
【特許文献１】特開２００６−２４０７２７号公報
【発明の概要】
【発明が解決しようとする課題】
【０００４】
ところで、例えば、ユーザによるノズルの操作の問題や液体燃料供給装置の不具合等に起因して、液体燃料供給装置の貯蔵タンクや液体供給経路等から液体燃料が外部に漏れると、漏れた液体燃料が周囲に拡散してしまう可能性がある。そのため、万が一、液体供給装置から外部に液体燃料が漏れてしまった場合を想定し、液体燃料供給装置の周囲を囲う拡散防止部が設置される場合がある。
【０００５】
しかしながら、この場合、拡散防止部の内部におけるどの箇所に漏れた液体燃料が滞留するのかが分からず、作業員にとって、拡散防止部の内部の一部にのみ漏れ出した液体燃料の確認が難しくなる可能性がある。
【０００６】
そこで、上記課題に鑑み、外部に漏れた液体燃料の周囲への拡散を抑制し、且つ、作業員が漏れた液体燃料の有無を容易に確認することが可能な液体燃料供給装置を提供することを目的とする。
【課題を解決するための手段】
【０００７】
上記目的を達成するため、本発明の一実施形態では、
所定の液体燃料を貯蔵する貯蔵タンクと、
被液体供給体に前記液体燃料を供給するノズルと、
一端が前記貯蔵タンクに接続され、他端が前記ノズルに接続される液体燃料供給経路と、前記液体燃料供給経路に設けられ、前記貯蔵タンクから前記液体燃料を前記ノズルに向けて圧送するポンプと、
前記液体燃料供給経路に設けられ、前記ポンプにより前記貯蔵タンクから前記ノズルに向けて圧送された前記液体燃料の供給量を測定する供給量測定手段と、
を有する本体部と、
内部に前記本体部が設置され、前記本体部から外部に漏れた前記液体燃料の周囲への拡散を防止する拡散防止部と、
前記本体部が設置される設置面を含み、前記設置面が水平面に対して傾斜した設置部と、を備える、
液体燃料供給装置が提供される。
【発明の効果】
【０００８】
本実施の形態によれば、外部に漏れた液体燃料の周囲への拡散を抑制し、且つ、作業員が漏れた液体燃料の有無を容易に確認することが可能な液体燃料供給装置を提供することができる。
【図面の簡単な説明】
【０００９】
【図１】液体供給装置の一例を示す外観斜視図である。
【図２】液体供給装置の構成の一例を模式的に示す側面断面図である。
【図３】液体供給装置による液体供給処理の一例を概略的に示すフローチャートである。
【図４】液体供給装置による漏れ液回収処理の一例を概略的に示すフローチャートである。
【発明を実施するための形態】
【００１０】
以下、図面を参照して発明を実施するための形態について説明する。
【００１１】
［液体供給装置の構成］
まず、図１、図２を参照して、本実施形態に係る液体供給装置１について説明する。
【００１２】
図１は、液体供給装置１の一例を示す外観斜視図である。図２は、液体供給装置１の構成の一例を模式的に示す側面断面図である。以下、明細書中の"前"、"後"、"左"、"右"、"上"、"下"の方向に関する記載は、図１、図２における表記に対応する。
【００１３】
尚、図２中において、太い実線は、後述する液体の流路を表し、点線は、信号系統を表す。
【００１４】
図１、図２に示すように、液体供給装置１（液体燃料供給装置の一例）は、本体部１０と、本体部１０が設置されるベース部４０と、平面視で矩形のベース部４０の前後左右の端部、即ち、四辺に設けられ、本体部１０を四方から取り囲む防液堤５０と、漏れ液回収部６０を含む。
【００１５】
本体部１０は、貯蔵タンク２０と、ポンプユニット３０を含む。貯蔵タンク２０及びポンプユニット３０は、それぞれに少なくとも一箇所（好ましくは、左右方向にある程度離れた二か所以上）設けられる取付部２５を介して、一体として、ベース部４０の上面４１に設置される。液体供給装置１は、本体部１０として、貯蔵タンク２０及びポンプユニット３０を一体としてベース部４０に搭載される構成が採用されることにより、トラック等の移動体の荷台に搭載され、様々な場所に搬送されうる。つまり、ユーザは、液体供給装置１を様々な場所に移動させて利用することができる。
【００１６】
貯蔵タンク２０は、例えば、略直方体形状を有し、液体被供給体（以下、単に被供給体と称する）に供給するための所定の液体（以下、単に液体と称する）を貯蔵する。貯蔵タンク２０に貯蔵される液体は、例えば、被供給体としての車両や建設機械等に供給されるガソリンや軽油等の燃料や、尿素等の排気ガス浄化用の還元剤等である。貯蔵タンク２０は、ポンプユニット３０（具体的には、筐体３１）の後部と連結される。つまり、貯蔵タンク２０は、ポンプユニット３０の後方に配置される。
【００１７】
ポンプユニット３０は、筐体３１と、液体供給経路３２と、ホース３３と、ノズル３４と、ポンプ３５と、流量計３６と、表示部３７と、回収スイッチ（回収ＳＷ）３８と、制御装置３９を含む。ポンプユニット３０は、例えば、筐体３１内に搭載されるバッテリ（不図示）や、筐体３１から延設される電源ケーブル（不図示）等により接続可能な商用電源（不図示）から供給される電力で稼働する。
【００１８】
筐体３１は、ポンプユニット３０に含まれる各種ハードウェアを内部に収容する、或いは、外部に固定される等により保持する。筐体３１は、例えば、上下方向が相対的に長い略直方体形状を有し、貯蔵タンク２０の前部の隔壁（前面）に取り付けられる。
【００１９】
液体供給経路３２（液体燃料供給経路の一例）は、その一端が、筐体３１の後部の隔壁を貫通し、貯蔵タンク２０の内部に挿通される態様で、貯蔵タンク２０に接続されると共に、その他端がノズル３４に接続され、貯蔵タンク２０からノズル３４を介して、被供給体に液体を供給する。液体供給経路３２は、筐体３１に収容される部分と、筐体３１の外部に露出する部分、つまり、筐体３１の外部でノズル３４に接続されるホース３３を含む。また、液体供給経路３２は、後述するポンプ３５及び流量計３６よりも上流側（即ち、貯蔵タンク２０側）の液体供給経路３２１と、下流側（即ち、ノズル３４側）の液体供給経路３２２を含む。
【００２０】
液体供給経路３２１，３２２には、それぞれ、液体供給経路３２１，３２２の連通／非連通を切り換える切換弁３２１ｖ，３２２ｖが設けられる。切換弁３２１ｖ，３２２ｖは、例えば、常閉型の電磁弁であり、制御装置３９から入力される制御信号に応じて、開閉する。
【００２１】
ノズル３４は、液体供給経路３２、即ち、ホース３３の先端に接続され、ユーザの操作に応じて、被供給体に液体を吐出する。ノズル３４は、ユーザにより被供給体の供給口にその先端が挿入された状態で、先端の吐出口からポンプ３５の動力により貯蔵タンク２０から圧送される液体を吐出する。ノズル３４は、例えば、吐出口に液体供給により発生する負圧に応じて空気を吸引する空気導入口が設けられ、当該空気導入口が被供給体側の液面の上昇に応じて閉塞されることにより、被供給体への液体の供給が停止される既知の弁機構を有する。
【００２２】
また、ノズル３４は、被供給体への液体供給が行われない状態（以下、待機状態と称する）において、筐体３１の外部の側面に適宜設けられるノズル掛け３４ａに掛けられた態様で保持される。ノズル掛け３４ａには、ノズルスイッチ（ノズルＳＷ）３４ｂが設けられる。ノズルＳＷ３４ｂは、例えば、一対一の通信線やＬＡＮ（Local Area Network）を通じて制御装置３９と通信可能に接続され、ノズル３４がノズル掛け３４ａに掛けられている場合、ＯＦＦ信号を制御装置３９に出力し、掛けられていない場合、ＯＮ信号を制御装置３９に出力する。
【００２３】
ポンプ３５は、筐体３１内の液体供給経路３２に設けられ、制御装置３９からの制御信号に応じて、貯蔵タンク２０の液体をノズル３４に向けて圧送する。
【００２４】
流量計３６（供給量計測手段の一例）は、筐体３１内の液体供給経路３２、具体的には、ポンプ３５の直後の下流側に設けられ、ポンプ３５により貯蔵タンク２０からノズル３４に向けて圧送される流量、つまり、液体の供給量を計測する既知の計測手段である。
【００２５】
表示部３７は、例えば、液晶ディスプレイ等であり、筐体３１の外側面、例えば、筐体３１の前面上部に設けられ、制御装置３９による制御の下、ユーザに対する各種情報を表示させる。例えば、表示部３７は、被供給体への液体の供給開始からの総供給量を動的に表示させる。また、例えば、表示部３７は、ユーザによる被供給体への液体の供給作業時等に液体供給装置１（ポンプユニット３０）に発生する各種エラー通知を表示させる。
【００２６】
回収ＳＷ３８は、後述の如く、本体部１０の外部に漏れ出た漏れ液（以下、単に「漏れ液」と称する）を回収する回収モードに移行するための操作手段である。回収ＳＷ３８は、例えば、一対一の通信線やＬＡＮ等を通じて制御装置３９と通信可能に接続され、ユーザによる操作状態に応じて信号を制御装置３９に出力する。例えば、回収ＳＷ３８は、ユーザによりＯＮ操作されると、ＯＮ信号を制御装置３９に出力し、これにより、制御装置３９は、後述の如く、ベース部４０に漏れ出た漏れ液の回収処理を開始させる。また、回収ＳＷ３８は、ユーザによりＯＦＦ操作されると、ＯＦＦ信号を制御装置３９に出力し、これにより、制御装置３９は、漏れ液の回収処理を停止させる。詳細は、後述する。
【００２７】
制御装置３９（制御手段の一例）は、液体供給装置１に関する各種制御処理を行う。制御装置３９は、例えば、ＣＰＵ（Central Processing Unit）、ＲＡＭ（Random Access Memory）、ＲＯＭ（Read Only Memory）、補助記憶装置、各種インターフェースを含むコンピュータを中心に構成されてよい。制御装置３９は、ＲＯＭや補助記憶装置に格納される一以上のプログラムをＣＰＵ上で実行することにより各種機能を実現する。
【００２８】
例えば、制御装置３９は、ユーザによるノズル３４の操作に応じて、ポンプユニット３０、具体的には、ポンプ３５、切換弁３２１ｖ，３２２ｖ等を制御し、貯蔵タンク２０からノズル３４に向けて液体を供給させる。制御装置３９による当該動作の詳細は、後述する（図３参照）。
【００２９】
また、制御装置３９は、ユーザによる回収ＳＷ３８の操作や後述するセンサ４４から入力される信号等に応じて、被供給体に供給されずに、本体部１０の外部に漏れ出た漏れ液をポンプ３５を利用して回収させる。漏れ液は、例えば、ユーザによるノズル３４の誤操作により被供給体の供給口から逸れて本体部１０の外部に漏れ出た液体や、不具合等により本体部１０から漏れ出た液体等である。制御装置３９による当該動作の詳細は、後述する（図４参照）。
【００３０】
尚、制御装置３９の機能は、複数の制御装置、即ち、複数のコンピュータにより分担して実現されてもよい。
【００３１】
ベース部４０（設置部の一例）は、平面視で略矩形形状を有すると共に、側面断面視で所定の厚みを有し、本体部１０が設置される上面４１と、溝部４２と、センサ４３，４４と、排水経路４５が設けられる。
【００３２】
ベース部４０の上面４１（設置面の一例）は、側面視で前方から後方に向けて、水平面に対して傾斜している。これにより、本体部１０からベース部４０に漏れ出た漏れ液は、傾斜に沿って後方に流れ、ベース部４０の後方に集約される。
【００３３】
尚、ベース部４０の上面４１は、漏れ液がベース部４０の一部に集約される態様であれば、任意の傾斜を有してよい。例えば、ベース部４０の上面４１は、ベース部４０の後部中央付近に漏れ液が集約されるように、漏斗状の傾斜を有してもよい。また、本体部１０は、略水平状態で上面４１に設置される。つまり、本体部１０の下部に取り付けられ取付部２５の上下方向の高さは、その前後方向（傾斜方向）における位置によって異なる。
【００３４】
溝部４２（溜り部の一例）は、ベース部４０の後端部において、左右方向に延設される、即ち、平面視で矩形上のベース部４０の後方の一辺に設けられる。つまり、溝部４２は、ベース部４０における上面４１の傾斜の麓側の端部に設けられるため、上面４１の傾斜に沿ってベース部４０の後方に集約される漏れ液をある程度溜めることができる。溝部４２の深さ及び幅は、想定される漏れ液の量に応じて、適宜設定される。
【００３５】
尚、溝部４２は、漏れ液を一時的に溜める溜り部の一例であり、例えば、上述の如く、漏れ液がベース部４０の後端部中央付近に集約される態様である場合、左右方向に延設される溝部４２の代わりに、ベース部４０の後端部中央付近に漏れ液を溜める凹部を設けてもよい。
【００３６】
センサ４３，４４は、溝部４２に溜まった漏れ液、具体的には、漏れ液が所定の液面に到達したか否かを検出する。センサ４３は、溝部４２の側面の下端部に取り付けられ、溝部４２に溜まった漏れ液がほとんど無い状態に対応する液面（低位液面）に達しているか否かを検出する。センサ４４（検出手段の一例）は、溝部４２の側面の上端部に取り付けられ、溝部４２に溜まった漏れ液が比較的多い状態に対応する液面（高位液面）に到達しているか否かを検出する。センサ４３，４４は、一対一の通信線やＬＡＮ等により制御装置３９と通信可能に接続され、検出結果に対応する検出信号を制御装置３９に出力する。
【００３７】
センサ４３，４４は、例えば、静電容量式液面センサである。これにより、センサ４３，４４は、静電容量の違いに基づき、液体が所定の液面まで達しているか否かだけでなく、所定の液面に達している液体が漏れ液かそれ以外（例えば、雨水等）かを検出することができる。
【００３８】
尚、センサ４３，４４は、液体供給装置１が野外で利用されない（つまり、溝部４２に水が溜まらない）場合や、漏れ液と雨水等とを区別する必要が無い場合等において、例えば、フロート式の一つの液面センサに置換されてもよい。
【００３９】
排水経路４５は、溝部４２の底部と、ベース部４０の外部（具体的には、防液堤５０の外部）との間を接続する。排水経路４５には、切換弁４５ｖが設けられ、通常、閉じられている切換弁４５ｖを開弁させることにより、溝部４２に溜まった雨水等を溝部４２からベース部４０の外部に排出させることができる。切換弁４５ｖは、例えば、溝部４２に雨水等が溜まったことを確認したユーザにより手動で開閉される態様であってよい。
【００４０】
防液堤５０（拡散防止部の一例）は、ベース部４０の内部、即ち、ベース部４０に設置される本体部１０を取り囲むように、ベース部４０の端部、即ち、平面視で矩形状を有するベース部４０の四辺に設けられる。防液堤５０は、ベース部４０の内部とベース部４０の外部との間に設けられる、上面４１や溝部４２の上端よりも高い隔壁である。これにより、本体部１０からベース部４０に漏れ出た漏れ液の本体部１０の周囲への拡散を抑制することができる。
【００４１】
漏れ液回収部６０は、漏れ液を回収する回収タンク６１と、漏れ液回収経路６２を含む。
【００４２】
回収タンク６１は、溝部４２から回収される漏れ液を一時的に貯蔵する。回収タンク６１は、漏れ液回収経路６２１から容易に取り外し可能な構成を有し、ユーザは、回収タンク６１に回収された漏れ液を廃棄する作業を容易に行うことができる。回収タンク６１の開口部には、切換弁６１ｖが設けられる。切換弁６１ｖは、例えば、常閉型の電磁弁であり、制御装置３９から制御信号に応じて、開閉する。
【００４３】
漏れ液回収経路６２は、その一端がベース部４０の溝部４２の側面下端部（或いは底部）に接続され、その他端が回収タンク６１の開口部に接続される。漏れ液回収経路６２は、漏れ液回収経路６２１，６２２を含む。
【００４４】
漏れ液回収経路６２１は、その一端がベース部４０の溝部４２の側面下端部（或いは底部）に接続され、その他端がポンプ３５に接続される。漏れ液回収経路６２２は、その一端が流量計３６に接続され、その他端が回収タンク６１の開口部に接続される。これにより、ポンプ３５の動力で、溝部４２に溜まった漏れ液を回収タンク６１に向けて圧送させ、漏れ液を回収タンク６１に回収させることができる。
【００４５】
具体的には、漏れ液回収経路６２１，６２２には、それぞれ、切換弁６２１ｖ，６２２ｖが設けられる。そして、液体供給経路３２１，３２２の切換弁３２１ｖ，３２２ｖが閉弁され、且つ、漏れ液回収経路６２１，６２２の切換弁６２１ｖ，６２２ｖ、及び回収タンク６１の切換弁６１ｖが開弁された状態で、ポンプ３５が駆動される。これにより、液体供給用のポンプ３５を漏れ液回収用に併用させることができるため、コスト上昇を抑制できる。例えば、切換弁６２１ｖ，６２２ｖは、それぞれ、常閉型の電磁弁であり、制御装置３９からの制御信号に応じて、開閉する。
【００４６】
尚、当然の如く、液体供給用のポンプ３５の他に、漏れ液回収用のポンプを追加してもよい。また、本実施形態では、漏れ液回収経路６２は、流量計３６を経由するが、流量計３６を経由しない態様であってもよい。つまり、漏れ液回収経路６２２は、その一端が流量計３６でなく、直接的に、ポンプ３５の吐出側に接続される態様であってもよい。また、漏れ液回収経路６２を省略し、溝部４２に溜まった漏れ液をユーザが人力で回収する前提であってもよい。
【００４７】
［液体供給装置による液体供給処理の詳細］
次に、図３を参照して、本実施形態に係る液体供給装置１による液体供給処理について具体的に説明する。
【００４８】
図３は、本実施形態に係る液体供給装置１（制御装置３９）による液体供給処理の一例を概略的に示すフローチャートである。本フローチャートによる処理は、例えば、液体供給装置１の稼働中において、所定時間ごとに、繰り返し実行されてよい。以下、図４のフローチャートについても同様である。
【００４９】
ステップＳ３０２にて、制御装置３９は、ノズルＳＷ３４ｂからＯＦＦ信号が入力されているか否かを判定する。制御装置３９は、ノズルＳＷ３４ｂからＯＦＦ信号が入力されている場合、ユーザによりノズル３４がノズル掛け３４ａから外されたと判断し、ステップＳ３０４に進み、それ以外である場合、今回の処理を終了する。
【００５０】
ステップＳ３０４にて、制御装置３９は、後述する漏れ液回収（図４参照）の最中であるか否かを判定する。制御装置３９は、漏れ液回収中である場合、ステップＳ３０６に進み、漏れ液回収中でない場合、ステップＳ３０８に進む。
【００５１】
ステップＳ３０６にて、制御装置３９は、溝部４２の漏れ液を回収中である旨のエラー通知を表示部３７に表示させて、今回の処理を終了する。
【００５２】
尚、前回以前の処理により、既に当該エラー通知が表示部３７に表示されている場合、制御装置３９は、当該表示を継続させる。
【００５３】
一方、ステップＳ３０８にて、制御装置３９は、切換弁３２１ｖ，３２２ｖに開弁させる制御信号を出力すると共に、ポンプ３５の駆動を開始し、貯蔵タンク２０からノズル３４に向けた液体供給を開始させる。
【００５４】
ステップＳ３１０にて、制御装置３９は、高位液面に到達した漏れ液が検出されたか否か、即ち、センサ４４により漏れ液が検出されているか否かを判定する。制御装置３９は、センサ４４により漏れ液が検出されている場合、ステップＳ３１２に進み、センサ４４により漏れ液が検出されていない場合、ステップＳ３１４に進む。
【００５５】
ステップＳ３１２にて、制御装置３９は、漏れ液が溝部４２に多量に溜まっている旨のエラー通知（漏れ液エラー通知）を表示部３７に表示させて、ステップＳ３１６に進む。
【００５６】
一方、ステップＳ３１４にて、制御装置３９は、ノズルＳＷ３４ｂからのＯＦＦ信号の入力が継続している否かを判定する。制御装置３９は、ノズルＳＷ３４ｂからのＯＦＦ信号の入力が継続している場合、ユーザによる給油操作が継続していると判断し、ステップＳ３１０に戻り、ノズルＳＷ３４ｂからのＯＦＦ信号の入力が継続していない、即ち、ＯＮ信号が入力されている場合、ユーザによる給油操作が終了したと判断し、ステップＳ３１６に進む。
【００５７】
ステップＳ３１６にて、制御装置３９は、切換弁３２１ｖ，３２２ｖに閉弁させる制御信号を出力すると共に、ポンプ３５の駆動を停止し、貯蔵タンク２０からノズル３４に向けた液体供給を停止する。これにより、ユーザによる給油操作の終了に合わせて、液体供給装置１（ポンプユニット３０）の液体供給動作を停止させることができる。また、液体供給開始後に、比較的多量の漏れ液が溝部４２に溜まった場合に、自動的に、液体供給機能を停止させる。これにより、漏れ液が防液堤５０の内部に比較的多量に溜まっている状態や本体部１０から漏れ液が漏れ続けているような状態で、本体部１０（ポンプユニット３０）による被供給体への液体供給が行われる状況を抑制し、液体供給装置１の安全性を向上させることができる。
【００５８】
［液体供給装置による漏れ液回収処理の詳細］
次に、図４を参照して、本実施形態に係る液体供給装置１による漏れ液回収処理について具体的に説明する。
【００５９】
図４は、本実施形態に係る液体供給装置１（制御装置３９）による漏れ液回収処理の一例を概略的に示すフローチャートである。
【００６０】
ステップＳ４０２にて、制御装置３９は、漏れ液エラー通知（図３のステップＳ３１２参照）、或いは、ユーザによる回収ＳＷ３８のＯＮ操作があったか否かを判定する。漏れ液エラー通知、或いは、ユーザによる回収ＳＷ３８のＯＮ操作がなかった場合、ステップＳ４０４に進み、ＯＮ操作があった場合、ステップＳ４０８に進む。
【００６１】
ステップＳ４０４にて、制御装置３９は、ノズルＳＷ３４ｂがＯＮ信号を出力しているか否かを判定する。制御装置３９は、ノズルＳＷ３４ｂがＯＮ信号を出力している場合、液体供給装置１が待機状態であると判断し、ステップＳ４０６に進み、それ以外の場合、液体供給装置１が液体供給中（即ち、図３のステップＳ３０８〜Ｓ３１６の間の処理中）であると判断し、今回の処理を終了する。
【００６２】
ステップＳ４０６にて、制御装置３９は、高位液面に到達した漏れ液が検出されたか否か、即ち、センサ４４により漏れ液が検出されているか否かを判定する。制御装置３９は、センサ４４により漏れ液が検出されている場合、ステップＳ４０８に進み、センサ４４により漏れ液が検出されていない場合、今回の処理を終了する。
【００６３】
ステップＳ４０８にて、制御装置３９は、切換弁３２１ｖ，３２２ｖを閉弁状態に維持しつつ、切換弁６２１ｖ，６２２ｖ、及び切換弁６１ｖに開弁させる制御信号を出力すると共に、ポンプ３５の駆動を開始し、溝部４２の漏れ液の回収タンク６１への回収を開始させる。これにより、漏れ液エラー通知が行われた場合も含め溝部４２に溜まった比較的多量の漏れ液、或いは、ユーザによる回収ＳＷ３８のＯＮ操作に対応して、自動的に、漏れの回収が実行されるため、液体供給装置１の安全性及びユーザの利便性が向上する。
【００６４】
ステップＳ４１０にて、制御装置３９は、回収ＳＷ３８がＯＦＦ操作されたか否かを判定する。制御装置３９は、回収ＳＷ３８がＯＦＦ操作されていない場合、ステップＳ４１２に進み、ＯＦＦ操作された場合、ステップＳ４１４に進む。
【００６５】
尚、回収ＳＷ３８のＯＮ操作以外（具体的には、漏れ液エラー通知、或いは、センサ４４による漏れ液の検出）をトリガとして、漏れ液の回収が開始された場合、ステップＳ４１０の処理は、省略されてよい。
【００６６】
ステップＳ４１２にて、制御装置３９は、低位液面に到達した漏れ液が検出されたか否か、即ち、センサ４３により漏れ液が検出されているか否かを判定する。制御装置３９は、センサ４３により漏れ液が検出されている場合、ステップＳ４１０に戻って、ステップＳ４１０，Ｓ４１２の処理を繰り返し、センサ４３により漏れ液が検出されていない場合、ステップＳ４１４に進む。
【００６７】
ステップＳ４１４にて、制御装置３９は、切換弁６２１ｖ，６２２ｖ、及び切換弁６１ｖに閉弁させる制御信号を出力すると共に、ポンプ３５の駆動を停止し、溝部４２の漏れ液の回収タンク６１への回収を停止し、今回の処理を終了する。これにより、溝部４２の漏れ液がほとんどなくなった状態、或いは、ユーザによる回収ＳＷ３８のＯＦＦ操作に対応して、自動的に、漏れ液の回収を停止させることができる。
【００６８】
本例では、防液堤５０の内部（ベース部４０）の溝部４２に溜まった漏れ液を自動的に回収タンク６１に回収させることができる。従って、ユーザは、回収タンク６１の交換作業だけで、漏れ液の回収処理を終えることができるため、ユーザによる漏れ液回収に要する作業時間を大幅に短縮させることができる。また、漏れ液が防液堤５０の内部に留まっている状態が継続することを抑制できるため、漏れ液が防液堤５０の内部に溜まっている状態で、本体部１０（ポンプユニット３０）による被供給体への液体供給が行われる状況を抑制し、安全性を向上させることができる。
【００６９】
また、本例では、防液堤５０の内部の溝部４２の漏れ液を回収タンク６１に回収させるため、溝部４２がオーバーフローしてしまうような事態を抑制することができる。
【００７０】
［作用］
このように、本実施形態では、液体供給装置１は、内部に本体部１０が設置され、本体部１０から外部（ベース部４０）に漏れた漏れ液の周囲への拡散を防止する防液堤５０を備える。
【００７１】
これにより、漏れた液体を防液堤５０の内部に留めることが可能となるため、漏れ液の本体部１０の周囲への拡散を防止できる。
【００７２】
また、本実施形態では、防液堤５０内部のベース部４０における本体部１０の設置面（上面４１）は、水平面に対して傾斜している。
【００７３】
これにより、本体部１０から漏れ出た漏れ液が防液堤５０内部の傾斜の麓側に集約されるため、漏れ液の回収作業の効率化を図ることができ、特に、漏れ液の回収を作業者が汲み取り等により人力で行うような場合に好適である。
【００７４】
また、本実施形態では、防液堤５０の内部に、本体部１０から外部（ベース部４０）に漏れ出た漏れ液が上面４１に沿って流入する溜り部（溝部４２）が設けられる。
【００７５】
これにより、傾斜により麓側に集約された漏れ液をある程度溜めることができるため、更に、漏れ液の周囲への拡散を抑制できると共に、決まった場所に漏れ液が溜まるため、漏れ液の回収作業の効率化を図ることができる。
【００７６】
また、溝部４２は、防液堤５０の内部における本体部１０が位置していないエリアに設けられている、即ち、本体部１０に覆われることなく、露出している。
【００７７】
これにより、作業員は、燃料供給を行う際に、防液堤５０の内部の溝部４２に溜まった漏れ液を容易に確認することができる。
【００７８】
また、溝部４２は、防液堤５０の内部における貯蔵タンク２０の設置位置に対してポンプユニット３０とは反対側、即ち、後側の位置に設けられる。
【００７９】
これにより、防油堤５０の内部のベース部４０に漏れ出た漏れ液は、ベース部４０の上面４１の傾斜に沿って、貯蔵タンク２０及びポンプユニット３０から離れた位置に流れ、滞留する。そのため、漏れ液が貯蔵タンク２０及びポンプユニット３０を含む本体部１０に付着する可能性を低くすることができ、その分、防油堤５０の内部における漏れ液の回収作業を迅速に行うことができる。
【００８０】
また、本実施形態では、センサ４４は、溝部４２に溜まった漏れ液が所定量（高位液面）に達したか否かを検出する。そして、制御装置３９は、溝部４２に溜まった漏れ液が当該所定量に達したと検出された場合、本体部１０（ポンプユニット３０）の液体供給機能を停止させる。
【００８１】
これにより、溝部４２に漏れ液が比較的多量に溜まっている場合に、本体部１０による液体供給が停止されるため、液体供給装置１の安全性を向上させることができる。
【００８２】
以上、本発明を実施するための形態について詳述したが、本発明はかかる特定の実施形態に限定されるものではなく、特許請求の範囲に記載された本発明の要旨の範囲内において、種々の変形・変更が可能である。
【００８３】
［変形例］
例えば、上述した実施形態において、制御装置３９は、センサ４４により雨水等が検出された場合、溝部４２に雨水等が溜まっている旨のエラー通知を表示部３７に表示させてもよい。これにより、ユーザに対して、溝部４２に溜まった雨水等を認識させ、排水経路４５を通じた雨水等の排水を促すことができる。
【００８４】
また、例えば、上述した実施形態において、液体供給経路３２２及びノズル３４を利用して、溝部４２の漏れ液が回収されてもよい。具体的には、制御装置３９は、ユーザにより回収ＳＷ３８がＯＮ操作された場合、切換弁６２１ｖ及び切換弁３２２ｖを開弁させる制御信号を出力すると共に、ポンプ３５の駆動を開始させてよい。これにより、ユーザは、ノズル３４の先端を回収タンク６１の別の開口に挿入すると共に、ノズル３４に対する所定操作を行い、ノズル３４から回収タンク６１に漏れ液を吐出させ、溝部４２の漏れ液を回収することができる。
【００８５】
また、例えば、上述した実施形態において、切換弁４５ｖは、例えば、常閉型の電磁弁であり、一対一の通信線やＬＡＮ等により制御装置３９と通信可能に接続され、制御装置３９から制御指令に応じて、自動で開閉される態様であってもよい。具体的には、制御装置３９は、センサ４４から入力される検出信号に応じて、雨水等が高位液面に到達したと判定すると、切換弁４５ｖに開弁させる制御信号を出力し、溜まった雨水等を排水経路４５を通じてベース部４０の外部に排出させてよい。これにより、溝部４２に溜まった比較的多量の雨水等を自動的にベース部４０の外部に排出させることができ、ユーザの利便性を向上させることができる。
【００８６】
このとき、雨水等と漏れ液の双方が溝部４２に溜まっていることも想定されるが、通常、漏れ液は、相対的に比重が軽く、雨水等よりも上に溜まる場合が多い。そのため、センサ４４により雨水等が検出されている状況で、排水経路４５を連通させても、漏れ液が直ぐに防液堤５０の外部に排出されることはない。よって、例えば、制御装置３９は、センサ４４により雨水等が検出されなくなった場合に、切換弁４５ｖに閉弁させる制御信号を出力し、溜まった雨水等のベース部４０の外部への排出を停止させるとよい。これにより、雨水等と漏れ液の双方が溝部４２に溜まっている場合に、漏れ液までもがベース部４０の外部に排出され、漏れ液が本体部１０の周囲に拡散してしまう事態を防止できる。また、制御装置３９による当該制御方法に加えて、或いは、代えて、排水経路４５の出口に排水回収用のタンク等を接続してもよい。これにより、雨水等と漏れ液の双方が溝部４２に溜まっている場合に、仮に、漏れ液を含む雨水等が排水経路４５からベース部４０の外部に排出されても、漏れ液を含む雨水等はタンク内に回収されるため、漏れ液が本体部１０の周囲に拡散する事態を防止できる。
【００８７】
また、例えば、上述した実施形態において、制御装置３９は、漏れ液の回収時に流量計３６により計測される漏れ液の流量（回収量）に基づき、回収タンク６１が満タン状態であるか否かを判定してもよい。具体的には、制御装置３９は、回収タンク６１が満タン状態であると判定した場合、回収タンク６１が満タンである旨のエラー通知を表示部３７に表示させてよい。そして、制御装置３９は、回収タンク６１が満タン状態であると判定した場合、回収タンク６１の交換が行われない限り、本体部１０（ポンプユニット３０）による被供給体への液体供給を禁止してよい。この場合、制御装置３９は、例えば、本体部１０（ポンプユニット３０）に対する回収タンク６１が交換済みである旨の操作をユーザに義務付けることにより、回収タンク６１が交換されたか否かを判定することができる。これにより、回収タンク６１に多量の漏れ液が回収された状態で、本体部１０（ポンプユニット３０）による被供給体への液体供給が行われる事態を抑制し、液体供給装置１の安全性を向上させることができる。
【００８８】
また、例えば、上述した実施形態において、溝部４２は、貯蔵タンク２０の設置位置に対して、ポンプユニット３０と同じ側、即ち、前側に設けられてもよい。これにより、作業員は、防液堤５０の内部のベース部４０における漏れ液の有無を確認するために、貯蔵タンク２０の後側を目視できる位置まで出向く必要なく、液体供給を行うのに併せて、溝部４２に溜まった漏れ液の有無等を容易に確認することができる。
【符号の説明】
【００８９】
１  液体供給装置（液体燃料供給装置）
１０  本体部
２０  貯蔵タンク
２５  取付部
３０  ポンプユニット
３１  筐体
３２，３２１，３２２  液体供給経路（液体燃料供給経路）
３３  ホース
３４  ノズル
３４ａ  ノズル掛け
３４ｂ  ノズルスイッチ
３５  ポンプ
３６  流量計（供給量計測手段）
３７  表示部
３８  回収スイッチ
３９  制御装置
４０  ベース部（設置部）
４１  上面（設置面）
４２  溝部（溜り部）
４３，４４  センサ（検出手段）
４５  排水経路
４５ｖ  切換弁
５０  防液堤（拡散防止部）
６０  漏れ液回収部
６１  回収タンク
６１ｖ  切換弁
６２，６２１，６２２  漏れ液回収経路
６２１ｖ，６２２ｖ  切換弁
【図１】
2019018897.tif 000003
【図２】
2019018897.tif 000004
【図３】
2019018897.tif 000005
【図４】
2019018897.tif 000006